Podtech/llm-jp-corpus-v4-ja_patent huggingface dataset:
(57)【要約】【課題】本発明は従来スリッパを整理するために必要であった、脱いだスリッパを一度手で拾い上げてスリッパ置きに引っ掛けなければならないといった煩わしい動作を解消し、また特に腰の悪い人に対してスリッパをかたずける時の腰の負担を軽減することを課題とする。【解決手段】スリッパの底部にマグネットシートを入れたものと、壁に貼付けた鉄板、マグネットシート又は鉄板を折曲げて作ったスリッパ置きの組合せを利用し、スリッパを足に履いた状態から両者を貼り合わせることで手軽にスリッパを整理できるようにする。【選択図】図２
2008173422.tif 000002
【特許請求の範囲】
【請求項１】
底部にマグネットシートを入れたスリッパ。
【請求項２】
底部にマグネットシートを入れたスリッパ（１）と、裏面に粘着シートがついていることで壁などに貼ることができる鉄板又はマグネットシート（２）の組合せから磁力を利用することで、スリッパを足に履いた状態から壁などに貼付けることで手軽にスリッパを整理できるようにした物。
【請求項３】
底部にマグネットシートを入れたスリッパ（１）と、くの字型に曲げられた鉄板（３）に持ち手部（４）とバランスウェイト（５）を設けたスリッパ置きとの組合せから磁力を利用することで、スリッパを足に履いた状態からスリッパ置きに貼付けることで手軽にスリッパを整理できるようにした物。
【請求項４】
底部にマグネットシートを入れたスリッパ（１）と、三角状に曲げられた鉄板（６）に持ち手部（７）とバランスウェイト（８）を設けたスリッパ置きとの組合せから磁力を利用することで、スリッパを足に履いた状態からスリッパ置きに貼付けることで手軽にスリッパを整理できるようにした物。
【発明の詳細な説明】
【技術分野】
【０００１】本発明はスリッパとスリッパ置きに関するものであり、底部にマグネットシートを入れたスリッパ（１）と裏面に粘着シートがついていることで壁などに貼付けることができる鉄板、マグネットシート（２）又は鉄板を折曲げて作られたスリッパ置き（図３、４）の組合わせから磁力を利用することで、スリッパを足に履いた状態から、壁に貼られた鉄板、マグネットシート又はスリッパ置きに貼付けることで手軽にスリッパを整理できるようにした物である。
【背景技術】
【０００２】従来からスリッパを整理する方法として、スリッパの足を入れる部分を引っ掛けるように作られたスリッパ置きなどが利用されてスリッパを整理していた。
【発明の開示】
【発明が解決しようとする課題】
【０００３】しかし従来のようなスリッパの足を入れる部分を引っ掛けるように作られたスリッパ置きなどを利用してスリッパを整理する方法などでは、脱いだスリッパをかたずけるためだけに煩わしい動作が必要とされ、また腰の悪い人などにはスリッパを拾い上げる動作は腰に負担がかかった。
【課題を解決するための手段】
【０００４】この課題を解決するため請求項２の発明では、底部にマグネットシートを入れたスリッパ（１）と、裏面に粘着シートがついていることで壁などに貼ることができる鉄板又はマグネットシート（２）の組合せから磁力を利用することで、スリッパを足に履いた状態から壁に貼られた鉄板又はマグネットシートに貼付けることで手軽にスリッパを整理し、スリッパをかたずける為の煩わしい動作を解消し、また特に腰の悪い人に対してスリッパをかたずける時の腰の負担を軽減する。【０００５】この課題を解決するため請求項３の発明では、底部にマグネットシートを入れたスリッパ（１）と、くの字型に曲げられた鉄板（３）に持ち手部（４）とバランスウェイト（５）を設けたスリッパ置きとの組合せから磁力を利用することで、スリッパを足に履いた状態からスリッパ置きに貼付けることで手軽にスリッパを整理し、スリッパをかたずける為の煩わしい動作を解消し、また特に腰の悪い人に対してスリッパをかたずける時の腰の負担を軽減する。【０００６】この課題を解決するため請求項４の発明では、底部にマグネットシートを入れたスリッパ（１）と、三角状に曲げられた鉄板（６）に持ち手部（７）とバランスウェイト（８）を設けたスリッパ置きとの組合せから磁力を利用することで、スリッパを足に履いた状態からスリッパ置きに貼付けることで手軽にスリッパを整理し、スリッパをかたずける為の煩わしい動作を解消し、また特に腰の悪い人に対してスリッパをかたずける時の腰の負担を軽減する。
【発明の効果】
【０００７】本発明により従来スリッパを整理するために必要であった、脱いだスリッパを一度手で拾い上げてスリッパ置きに引っ掛けなければならないといった煩わしい動作を解消できる。【０００８】また特に腰の悪い人に対してスリッパをかたずける時の腰の負担を軽減する。
【発明を実施するための最良の形態】
【０００９】図１は底部にマグネットシートを入れたスリッパである。【００１０】図２は底部にマグネットシートを入れたスリッパ（１）と、裏面に粘着シートがついていることで壁などに貼ることができる鉄板又はマグネットシート（２）の組合せから磁力を利用することで、スリッパを足に履いた状態から壁に貼られた鉄板又はマグネットシートに貼付けることで手軽にスリッパを整理できるようにした物である。【００１１】図３は底部にマグネットシートを入れたスリッパ（１）と、くの字型に曲げられた鉄板（３）に持ち手部（４）とバランスウェイト（５）を設けたスリッパ置きとの組合せから磁力を利用することで、スリッパを足に履いた状態からスリッパ置きに貼付けることで手軽にスリッパを整理できるようにした物である。【００１２】図４は底部にマグネットシートを入れたスリッパ（１）と、三角状に曲げられた鉄板（６）に持ち手部（７）とバランスウェイト（８）を設けたスリッパ置きとの組合せから磁力を利用することで、スリッパを足に履いた状態からスリッパ置きに貼付けることで手軽にスリッパを整理できるようにした物である。
【産業上の利用可能性】
【００１３】本発明は、工業的に量産することが可能であるため産業上の利用可能性を有す。
【図面の簡単な説明】
【００１４】
【図１】本発明請求項１の側断面図である。
【図２】本発明請求項２の全体図である。
【図３】本発明請求項３の全体図である。
【図４】本発明請求項４の全体図である。
【符号の説明】
【００１５】（１）底部にマグネットシートを入れたスリッパ。
（２）裏面に粘着シートがついていることで壁などに貼ることができる鉄板又はマグネットシート
（３）くの字型に曲げられた鉄板
（４）持ち手部
（５）バランスウェイト
（６）三角状に曲げられた鉄板
（７）持ち手部
（８）バランスウェイト
【図１】
2008173422.tif 000003
【図２】
2008173422.tif 000004
【図３】
2008173422.tif 000005
【図４】
2008173422.tif 000006
(57)【要約】      （修正有）【課題】椅子に腰掛けた座位姿勢のままで身体下肢の運動に使用する運動具を提供する。【解決手段】旅客機、自動車、客船、乗り物、その他の座席という限られたところで、椅子に腰掛けた座位姿勢のままで、この発明の下肢運動具を使用して、身体下肢の運動を効率よくすることにより、その運動効果によって、下肢の深部静脈の血流を停滞させることなく、心臓へ血液を還流させるとともに、血管内に血栓の発生をしにくくする。尚、座席を離れて通路歩行等の歩き運動をする必要もなくなる。【選択図】図３
2008173426.tif 000002
【特許請求の範囲】
【請求項１】
この運動具本体は、弾性素材と発泡状の弾性素材によって構成され、外側構成体弾性素材弾性強度を内部構成体発泡状弾性素材弾性強度より強くして、負荷変形、反発復元する弾性とその応力を利用した下肢の運動具。
【発明の詳細な説明】
【技術分野】
【０００１】  この発明は、椅子に腰掛けた座位姿勢のままで身体下肢の運動に使用する運動具である。
【背景技術】
【０００２】  現在、旅客機、自動車、客船、乗り物、その他の座席という限られたところで、椅子に腰掛けた座位姿勢のままで使用する機械仕様の身体下肢の運動具はあるが、機械仕様ではない、身体下肢の運動に使用する運動具はないような状態である。
【発明の開示】
【発明が解決しようとする課題】
【０００３】  旅客機、自動車、客船、乗り物、その他の座席において、長時間にわたり、椅子に腰掛けた座位姿勢でいると、身体下肢の深部静脈の血流が、運動しないことによって、引き起こされる血流の停滞によって、心臓への血液の環流が順調にいかない。尚、予想される最悪の状態では、血管内に血栓まで発生することである。これが、この発明の解決しようとしている課題である。
【課題を解決するための手段】
【０００４】  旅客機、自動車、客船、乗り物、その他の座席という限られたところで、椅子に腰掛けた座位姿勢のままで、この発明の負荷変形、弾性とその応力による反発、形状復元速度を外側構成体によって、調整された、この下肢運動具を使用して、身体下肢の運動を効率よくすることにより、その運動効果によって、下肢の深部静脈の血流を停滞させることなく、心臓へ血液を還流させるとともに、血管内に血栓の発生をしにくくする。尚、この下肢運動具を使用することにより、座席を離れて、通路歩行等の歩き運動をする必要がなくなることである。これらが課題解決するための手段である。
【発明の効果】
【０００５】  この下肢運動具を使用することにより、乗り物及びその他の座席という限られたところでの椅子に腰掛けた座位姿勢のままで使用する、この下肢運動具は、負荷変形、弾性とその応力による反発形状の復元速度を外側構成体によって調整されており、身体下肢の運動を効率よく行うことができるので、座席を離れて、通路歩行等の歩き運動をする必要がなくなることである。この下肢運動具を使用して、効率よく下肢の運動をすることにより、その運動効果によって、下肢の深部静脈の血流を停滞させることなく、心臓へ還流させ、血管内に血栓の発生をしにくくするのである。
【発明実施の形態】
【０００６】  この下肢運動具の外側構成体は弾性素材、内部構成体は発泡状の弾性素材で構成されている。その立体形状は、球体、楕円球体、多面体、柱体、及び、変形形状立体である。この下肢運動具は、運動を効率よく行う目的を達するために、外側構成体である弾性素材の弾性強度を内部構成体である発泡状弾性素材の弾性強度より強い強度の素材を使用して、負荷変形、弾性とその応力による反発、形状復元速度を調整した構造とする。また、希望する、負荷変形、反発、形状復元速度等の条件を獲得するために外側構成体の厚みによっても調整することができる。
この下肢運動具は弾性素材の負荷変形、反発、形状復元、弾性とその応力を利用して、限られたところで椅子に腰掛けた座位姿勢のままで身体下肢の運動を効率よく行うことができる。その主たる運動は、（イ）足部つま先運動、（ロ）下腿かかと上げ運動、（ハ）足踏み運動、（二）大腿部の運動、また、応用例として、（ホ）手の握力運動、等である。尚、この下肢運動具は、弾性素材、及び、発泡状弾性素材の複合多重構造であるが、発泡状弾性素材のみの構造とすることもできる。
使用例として、この下肢運動具は、高齢者の人、リハビリをしている人、その他の座位姿勢で過ごす運動不足の人たちにも使用していただける。
【図面の簡単な説明】
【０００７】
【図１】    斜視図
【図２】    断面図
【図３】    使用例図
【符号の説明】
【０００８】    １  運動具本体
２  外側構成体
３  内部構成体
４  動作方向
【図１】
2008173426.tif 000003
【図２】
2008173426.tif 000004
【図３】
2008173426.tif 000005
(57)【要約】      （修正有）【課題】本発明は、本体のささえ板をベッドの床とマットの間に差し込み足側に装着し、ベッドに居る間は気軽に体調や気分に合せて、足の裏のツボをマッサージや刺激等を行い健康増進を図るための、ベッド付き足裏押圧器を提供する。【解決手段】足裏押圧器の本体１ａ、１ｂの上部に、ピラミッド状に突起したローラー２を設け、本体のささえ板４ａ、４ｂを状況に応じ長短に設定できるよう折りたたみ式として、ベッドの床とマットの間に差し込み足側に装着して本体１ａ、１ｂを固定させる。  本体１ａ、１ｂの着脱、ローラー部２の上下移動を可能にし、両側の上部に突起部３を設けたことを特徴とする。【選択図】図１
2008173430.tif 000002
【特許請求の範囲】
【請求項１】
足裏押圧器本体の上部にピラミッド状に突起したローラーを設け、本体のささえ板を状況に応じ、長短に設定できるよう折りたたみ式とし、このささえ板をベッドの床とマットの間に差し込み本体を固定させ、本体の着脱、ローラー部の上下移動を可能にして、両側の上部に突起部を設けたことを特徴とするベッド付き足裏押圧器。
【発明の詳細な説明】
【技術分野】
【０００１】  本発明は、足裏押圧器本体の上部にピラミッド状に突起したローラーを設け、本体のささえ板を状況に応じて長短に設定できるよう折りたたみ式とし、このささえ板をベッドの床とマットの間に差し込み、固定させる。
本体の着脱、ローラー部の上下移動を可能にし、両側上部に突起部を設けて、足の裏のツボを満遍なくマッサージや刺激等が行われるようにして、健康の増進を図るためのベッド付き足裏押圧器に関するものである。
【背景技術】
【０００２】  従来の足の裏をマッサージや刺激等を行う器具等は、数多くあるが、使用する段階で問題があり、設置場所によったり、身近になかったりで、身近にあっても、または器具そのものによっても、自分の思うように使用できず、そのため長続きしなく効率の良い活用ができなかった。
また、電動式のものもあるが、自分の気力、力で活用しないので足の筋肉の強化にもつながらなく、高価である等の問題があった。
【発明の開示】
【発明が解決しようとする課題】
【０００３】  これは、次のような欠点があった。
（イ）使用したいときに、身近になかったりの不便があった。
（ロ）器具によっては、身体を移動しなければならない不便があった。
（ハ）使用したり、使用後の管理等にも不便を生じた。
（ニ）足の裏を満遍なく、マッサージや刺激等、効率的に活用できなかった。
（ホ）電動式のものもあるが、自分の力で足の運動をしないため、足の筋肉の増進につながらないし、身近で管理するのが困難な場合もあり、高価なものが多い等の問題があった。
（ヘ）それらにより、利用面において、長続きしない傾向にあったため、真の健康増進を図ることができなかった。
本発明は、以上の欠点を解決するためのものである。
【課題を解決するための手段】
【０００４】  足裏押圧器本体の上部にピラミッド状に突起したローラーを設け、本体のささえ板を状況に応じて長短に設定できるよう折りたたみ式とし、このささえ板をベッドの床とマットの間に差し込み固定させる。
本体の着脱、ローラー部の上下移動を可能にし、両側上部に突起部を設けて、全身の神経が足の裏に密集しているといわれているツボを満遍なくマッサージや刺激等を行えるようにした、ベッド付き足裏押圧器である。
本発明は、以上の構成よりなっている。
【発明の効果】
【０００５】  本発明は、足裏押圧器本体のささえ板をベッドの床とマットの間に差し込んで本体を装着することにより、ベッドに居る間は、何時でも、誰でもが気軽に自分の体調に合わせて、健康増進のために自由に活用できる。
全身の器官に神経が直結している足の裏のツボをマッサージや刺激等を行うことにより、全身の神経を刺激して血流を良くすると共に、疲れをとり、体調を整え、内臓や脳、その他の器官の活性化や足の筋肉の増強を図ることができる。
また、ベッドに入っている時が肉体的にも、精神的にも安定している時であり、体を移動せず継続して活用することができるために身体に及ぼす効果は大きい。
なお、本体のささえ板を長短に設定できるように折りたたみ式となっているので、差し込みのみで簡単に着脱が可能のため、ベッド以外の寝床や、他にも多方面で活用でき、家庭、病院、諸施設、旅館等どこにでも容易に利用することができる。
複雑な現代社会において、一億総健康時代といわれている今日、健康と精神衛生の向上を図るために役立てることができる。
その他、スポーツ選手にもこれを活用することにより体力向上を図るために大きな効果がある。
【発明を実施するための最良の形態】
【０００６】  以下、本発明の実施の形態を図面で説明すると。
（イ）足裏押圧器の本体（１ａ）に、ピラミッド状に突起させたローラー（２）と、両側上部に突起部（３）を設ける。
（ロ）足裏押圧器は、本体（１ａ）は、本体（１ｂ）と、ささえ板（４ａ）、ささえ板（４ｂ）から構成されている。
（ハ）本体（１ａ）の、両側に細長い溝穴（５）を設け、ローラーが上下移動を可能にして固定できるように、本体（１ｂ）に止め具（６）を付ける。
（ニ）ささえ板（４ａ）とささえ板（４ｂ）の接続部分に、折りたたみができるように止め具（７）を設け、本体をベッドから着脱、ローラー部の上下移動が可能に形成する。
なお、ローラー部分を玉状のもので設けても良い。
本発明は、以上の構成によりなっている。
本発明を使用するときは、使用する人がベッドで仰向けに寝ながら、ローラーに足の裏を添えて強弱に押したり、前後の運動を行うものである。
体に負担がかからず体勢に無理なく、体の弱い人、手術後の人、健康な人、老若男女等、誰でもが自由に気分や体調に合せて利用ができる。
また、本発明は、ピラミッド状に突起させたローラーを設けているので、足の裏のツボを満遍なく効果的にマッサージや刺激等を行うことができると共に、本体の両側の上部の突起部により更に足の裏のツボの極部を集中的に指圧、刺激することができる。
なお、足の裏ばかりでなく、足のふくらはぎ部分や、手のひらにも活用できる。
【図面の簡単な説明】
【０００７】
【図１】  本発明の斜視図である。
【符号の説明】
【０００８】    １ａ  本体
１ｂ  本体
２    ピラミッド状に突起したローラー
３    突起部
４ａ  ささえ板
４ｂ  ささえ板
５    溝穴
６    止め具
７    止め具
【図１】
2008173430.tif 000003
(57)【要約】【課題】映画館の座席で飲料カップをカップホルダーに置きストローで飲む時ストローが短く飲みずらかった。【解決手段】ストローを通常の約２倍長くして弓なりにし、映画館の座席に座ったときにストローの吸い口が胸から顎にくるようにして飲みやすくしたもの。またそのストローの上部に蛇腹に成型した部分を装備させたもの。【選択図】図１
2008173415.tif 000002
【特許請求の範囲】
【請求項１】
映画館の座席用に飲料用ストローを通常の約２倍長くして弓なりに湾曲させることにより映画鑑賞中に飲料カップを持つこともなく頭の位置もあまり動かさずに飲めるようにしたストロー
【請求項２】
請求項１に記載するストロー上部に蛇腹に成型した部分を装備し飲み口の角度を調節できるストロー
【発明の詳細な説明】
【技術分野】
【０００１】本発明は映画館の座席で飲料を飲みやすくした映画館用ストローに関するものである。
【背景技術】
【０００２】従来、映画館の座席で清涼飲料を飲む場合、座席の肘掛に装備されているカップホルダーに飲料カップを置いて飲むが、飲む時ストローが短く飲みずらかった。
【発明の開示】
【発明が解決しようとする課題】
【０００３】従来、映画館の座席で清涼飲料水を飲む場合、座席の肘掛に装備されているカップホルダーに飲料カップを置いて飲むが、ストローが短く、飲料カップを持ってストローを自分の口に近づけるか、上体を曲げてカップホルダーに自分の口を近づけて飲む方法がとられた。【０００４】近年は飲料カップのサイズが大きくなり持つことが困難になった。またカップについた水滴が手に付きわずらわしかった。
【課題を解決するための手段】
【０００５】ストローを通常の約２倍長くし、やや弓なりに湾曲させたストロー。またはそのストロー上部に蛇腹に形成した部分を装備させたもの。
【発明の効果】
【０００６】映画鑑賞中に飲料カップを持って飲む必要がなくなり手がカップに付いた水滴で濡れなくなった。またカップホルダーにある飲料カップの方へ上体を曲げ、口をストローに近づける必要がなくなり映画の画面に集中できるようになった。
【発明の実施するための最良の形態】
【０００７】従来のストローを約２倍の長さにして弓なりに湾曲させた映画館用ストローを映画館の座席の肘掛に装備しているカップホルダーにある飲料カップに差し込む。ストローは長く湾曲しているので、通常に座席に座ったときの胸から顎の位置にストローの吸い口がくるので飲料カップを持つことなくまた口をカップホルダーに置いてある飲料カップに近づけることもなくほとんど頭の位置を動かさないで飲むことができる映画館用ストロー。また上部に蛇腹の部分を装備させた場合さらに口元へ吸い口を持っていきやすくしたストロー。
【図面の簡単な説明】
【０００８】
【図１】本発明の斜面図
【図２】本発明の蛇腹付きの斜面図
【図３】本発明の使用状態を示す図
【符号の説明】
１映画館用ストロー
２蛇腹部分
３飲料カップ
【図１】
2008173415.tif 000003
【図２】
2008173415.tif 000004
【図３】
2008173415.tif 000005
(57)【要約】【課題】湯をやかんでで沸かしたり、電子レンジで温めるアンカはそれぞれ面倒であり、やけど、爆発など危険を伴うものであった。【解決手段】保温剤を入れた２重構造のラスチック容器を用意し、お風呂の湯を入れる口と密閉出来る蓋を付ける。お風呂を沸かす時にこの発明品を蓋を外して湯船の中に入れる。風呂の湯が沸くと同時にアンカも中の湯も温まる。入浴時にアンカが用意できて大変便利で、かつ経済的である。【特許請求の範囲】
【請求項１】
お風呂で温めるアンカ。
【発明の詳細な説明】
【技術分野】
【０００１】この発明は、お風呂を沸かすと同時に温めることができるアンカである。
【技術背景】
【０００２】従来は、このようにものはなかった。
【発明の開示】
【発明が解決しようとする課題】
【０００３】湯をやかんでで湧かしたり、電子レンジで温めるアンカはそれぞれ面倒であり、やけど、爆発など危険を伴うものであった。
【課題を解決するための手段】
【０００４】保温剤を入れた２重構造のラスチック容器を用意し、お風呂の湯を入れる口と密閉できる蓋を付ける。
【発明の効果】
【０００５】お風呂を沸かす時にこの発明品を蓋を外して湯船の中に入れる。風呂の湯が沸くと同時にアンカも中の湯も温まる。お風呂に入る時にアンカが用意できて大変便利でかつ経済的である。
【発明の実施をするための最良の形態】
【０００６】以下、本発明の実施の形態について説明する。
イ．保温剤を入れた２重構造のラスチック容器を用意する。
ロ．お風呂の湯を入れる口と密閉できる蓋を付ける。
(57)【要約】【課題】仕切りや収納の無いバックに簡単に収納と調節可能な仕切りを有するバッグ用インナーケースを提供する【解決手段】  仕切りをマジックテープ使用で簡単にセットでき収納物に合わせて調節可能なこと。仕切りに収納ポケットを付けて日常使用の携帯や財布、鍵などが収納出来る。折り畳み底敷きになるので収納物に対応できる。洗える素材なので長期使用が可能。【選択図】図１
2008173411.tif 000002
【特許請求の範囲】
【請求項１】
収納物に合わせマジックテープで調節可能な仕切りを特徴とするバック用インナーケース。
【請求項２】
使用しない時は底敷きに出来る折畳み式、小物収納ポケット又素材が洗える事を特徴とする請求項１記載のバック用インナーケース。
【発明の詳細な説明】
【技術分野】
【０００１】  この発明は、仕切りや収納の無いバックに調節可能な仕切りに小物等を整理するポケットをつけたバッグ用インナーケースに関するものである。
【背景技術】
【０００２】  従来のバッグは仕切りや収納が最初から付いているか仕切りや収納が無い物が多い欠点を有していた。
【発明の開示】
【発明が解決しようとする課題】
【０００３】  バッグにインナーケースをセットして、収納する物にあわせて、マジックテープ使用の仕切りで固定する仕切りには収納ポケットが付いているので財布、携帯電話、鍵や名刺入れ等収納が出来る、また折りたたむ事により、底敷に使用することで収納力も変わる。
【課題を解決するための手段】
【０００４】  以上の課題を解決するために、第一発明は、仕切りと収納をマジックテープ使用で簡単にセットでき収納物に合わせて調節可能なことを特徴とするバッグ用インナーケースである。
また、第二発明は、折りたたみ式で底敷きにできる事を特徴とするバック用インナーケースである。
【発明の効果】
【０００５】  第一発明、または第二発明によれば、簡単に装着でき底敷きとして使用するなどで収納力の改善を図れる。
【発明を実施するための最良の形態】
【０００６】  この発明の一実施形態を、図１に示す。収納ポケット付の仕切りがマジックテープにより調節可能。【０００７】「実施形態の効果」
この実施形態によれば、そのまま他のバッグに入れ替えが出来るので忘れ物の防止や出かける時の時間短縮にもなる、バッグの中を汚さずに綺麗に使用する事が出来る。【０００８】「他の実施形態」
図４はバッグ用インナーケースを折り畳んだ例である、このままの状態でバッグの底敷きとして使用すればバッグに大きな物を入れる事が可能になる、又、使用しない時は邪魔にならないサイズになり便利。
【図面の簡単な説明】
【０００９】
【図１】バッグにセットする状態の図
【図２】本体の展開図
【図３】中仕切り正面図
【図４】本体を折り畳んだ図
【符号の説明】
【００１０】▲１▼  芯材  ▲２▼  マジックテープ  ▲３▼  ポケット
【図１】
2008173411.tif 000003
【図２】
2008173411.tif 000004
【図３】
2008173411.tif 000005
【図４】
2008173411.tif 000006
(57)【要約】      （修正有）【課題】携帯性、操作性に優れた携帯電話器の装着具を提供する。【解決手段】Ｃ形の形状をした携帯電話器を保持するアルミ又はプラスチックのフレーム３を、ゴムを心材５とし外周部を弾力性のある布生地４で覆ったリングにリベット１で連結した。【選択図】図２
2008173417.tif 000002
【特許請求の範囲】
【請求項１】
図面形状に示すように、Ｃ形の形状したアルミ又はプラスチックのフレームに心材が、ゴムからなる、外周部を弾力性の布生地で覆ったリングとフレームをリベット又は、ビスとナットにより固定した、腕又は手首装着用として、携帯電話器を半固定する  装着具。
【請求項２】
外皮を弾力性のある布地で覆ったゴムバンドの代わりにマジックテープで連結してリング状態を形成するテープをアルミ又はプラスチックにリベット又はビスとナットにより固定し  腕又は手首装着用、携帯電話器を半固定する  装着具
【発明の詳細な説明】
【技術分野】
【０００１】本発明は携帯電話器を腕とか手首部分に半固定し簡単に取り付け、取り外しができる装具に関するものである。
【背景技術】
【０００２】従来、携帯電話器は移動中に使用頻度が高いが、手に持って移動するには保管場所として不便で、ポケットに入れても洋服に荷重が掛かり、服のデサインがみだれ外見もよくない。かばんに保存しても取り出しに不便で、専用の腰ベルトに装着しても取り出しが不便で、そのままの状態では相手からかかった電話も確認する場合番号の目視は出来なかった。
【発明の開示】
【発明が解決しようとする課題】
【０００３】従来の携帯電話器装填具は、カバンであったり、腰ベルトに装着するものであったが、いずれも相手から  かかった電話に出る場合は、取り出して応対する必要があり、キー操作は必ず取り出して行い、番号表示を見るのも時間がかかる、装填したままでは、使用出来ない欠点があった。
【課題を解決するための手段】
【０００４】本発明では、携帯電話器を収納する場所として、カバンとかポケットの利用を従来の考えを払拭し、装填したままで、画面表示の確認もすぐにできてキー入力操作もそのまま可能で、通話するのも装填したまま出来る。
【発明の効果】
【０００５】腕又は手首にほとんど密着している状態なので移動にも不便がない。
キー入力する場合片方の手が少し不自由でも、携帯電話器は半固定しているので操作はしやすく  画面の確認もしやすい。
腕とか手首に殆ど密着しているので、運動にも、他の仕事作業中にも利用することが、出来るようになった。
Ｃ形フレームの内ち寸法を、携帯電話器のサイズより少し小さい寸法にして軽く挿入して半固定する方法なので、取り出しも、装填も便利で操作は簡単である
携帯電話機の性質上何かの作業している時に、いきなりかかって来た電話にもあわてる事なく、いつも手元にあるので、作業の中断がなく、特にマナーモードでも感知が完全で、即答できるので電話かけた相手に  不快感を与えない。
たとえば携帯電話機を抜き取っても、装填器具は軽量なので、ほとんどの作業は通常どうり支障なく作業のさまたげにならない。
【発明を実施するための最良の形態】
【０００６】以下に、本発明を実施するための最良の形態を実施例によって説明する。
【実施例】
【０００７】図面に示すようにアルミニュウム板３  又はプラスチック３  をＣ形形状に成型し寸法は携帯電話器よりわずか小さい寸法にして、軽い力で携帯電話器が挿入できて半固定できる状態に仕上げる。
アルミニュウム板でもプラスチック材でも若干のバネ弾性があり、このバネ効果で、携帯電話器は保持される。
そのＣ形フレーム３  にゴム芯５  の入った弾力性ある布生地４  のリング状バンドをリベット又はビスとナット６  により固定する。【０００８】携帯電話器９  はゴムバンド１０  により、人の腕又は手首に半固定され人の動作をさまたげることなく、ほぼ密着して装着される。
【図面の簡単な説明】
【０００９】
【図１】本発明による携帯電話器と装着具の使用説明図である。
【図２】本発明の上面図と正面図と側面図である。
【図３】フレームとゴムバンドのリベット固定断面図である。
【符号の説明】
【００１０】１    リベット
２    リベット固定断面切断線
３    Ｃ形形状アルミフレーム
４    外部が弾力性布で覆ったゴムバンド
５    ゴム芯材
６    リベット断面
７    リベットかしめ位置
８    携帯電話器挿入Ｃ形フレーム
９    携帯電話器本体
１０  装着状態ゴムバンド
１１  Ｃ形アルミフレーム断面
１２  弾力性布生地断面
１３  ゴム心材
１４  弾力性布生地断面
【図１】
2008173417.tif 000003
【図２】
2008173417.tif 000004
【図３】
2008173417.tif 000005
(57)【要約】【課題】飲酒運転や無理な飲酒の機会を減らすための飲酒時における避酒意思等表示用具を提供する。【解決手段】表示部と本体支持部と本体保持部とよりなる避酒意思等表示用具。【選択図】図１
2008173420.tif 000002
【特許請求の範囲】
【請求項１】
表示部と本体保持部と本体支持部よりなる上端が直線でなく円の対象にも保持可能な飲酒時における避酒意思等表示用具。
【発明の詳細な説明】
【技術分野】
【０００１】  本発明は、グラス等上端が円の対象にも保持可能で、着脱の手間が少なく、安定した位置を保てる飲酒時における避酒意思等表示用具に関するものである。
【背景技術】
【０００２】  従来、紙を差し込み直線の棒にかけるプライスカードホルダーがあった。
曲面に文字を表示するためのシールやラベルがあった。
紙の代用としてのコースターがあった。
【発明の開示】
【発明が解決しようとする課題】
【０００３】  そのために、次のような欠点があった。
（イ）プライスカードホルダーでは上端が円の対象に対応しておらず、意思表示に使う時に煩瑣である。
（ロ）シールやラベルでは衛生的ではない場合や、書いたり剥がしたりする作業が煩瑣であることがあった。
（ハ）コースターは長時間の飲み会では元の席に置いて離れることが多い。また、記入するのに適していないものも多い。
【課題を解決するための手段】
【０００４】  表示部と本体支持部と本体保持部とより構成される。
本発明は以上の構成よりなる飲酒時における避酒意思等表示用具である。
【発明の効果】
【０００５】  現在厳罰化にかかわらず飲酒運転による事故が絶えないことに対し、飲酒ができない意思表示の機会を作り、意思・責任の明確化を促し、事故の予防をする。  商品を色分けすれば識別の効果もある。
周辺の効果として、一気飲み等無理な飲酒を勧める機会を減らす。
また文字の記入のないものをグラスや植木鉢に一言メモの代わりに使える。
シート状の材料を使うと金型を使う材料より安価にしあがる。
飲み放題等の料金体系の場合にはお酒の使用量を減らすことで原価節減の効果がある。
【発明を実施するための最良の形態】
【０００６】  以下、本発明の第一実施の形態について説明する。
本発明は紙やＰＥＴ素材やＰＰ素材などを用いる。
図１のように、縦約４．５ｃｍ・横約２．５ｃｍで形を切り取ってある。
用途によっては色分けや文字の記入がしてある。
本体支持部（３）、（４）について山折り線・谷折り線をつける。
効果と営業の観点から“運転します”、“未成年です”、“ギブアップ”等の記載を想定しています。【０００７】以下、本発明の使用例１について説明する。
（イ）目的別に色や記入を選ぶ。
（ロ）本体支持部を山折り線・谷折り線にしたがって折る。
（ハ）本体保持部をグラスの縁にひっかける。【０００８】以下、本発明の実施例２について説明する。
（イ）目的別に色や記入を選ぶ。
（ロ）本体支持部が初めから突起状に形成されているので、そのまま本体保持部をグラスの縁にひっかける。
【図面の簡単な説明】
【０００９】
【図１】  本発明の使用状態を示した斜視図
【図２】  本発明の使用時の斜視図
【図３】  本発明の使用前の平面図
【図４】  本発明の立体形状にした場合の斜視図
【符号の説明】
【００１０】    １  表示部
２  本体保持部
３  本体支持部
４  文字表記
【図１】
2008173420.tif 000003
【図２】
2008173420.tif 000004
【図３】
2008173420.tif 000005
【図４】
2008173420.tif 000006
(57)【要約】【課題】  既存の引き出し式衣装箱の他、多種引き出し箱に装着し、開閉時、引っ掛かりや巻き込みによる弊害を防止できる引き出し用の内蓋を提供する。【解決手段】  引き出し箱の上面開口部を覆うように、前後を折り曲げた、引き出し箱内寸幅の半柔軟性プラスティックフィルムの後方の端に取り付け部を設け、前方の端には、フック付きのゴムの輪を設け、フィルムの覆い部には、複数の小さな穴を設け、裏面には網ポケットと共に、前面部表面に透明のポケットを設けたことを特徴とする引き出し用の内蓋。【選択図】図１
2008173412.tif 000002
【特許請求の範囲】
【請求項１】
引き出し箱の上面開口部を覆うように、前後を折り曲げた、引き出し箱内寸幅の半柔軟性プラスティックフィルムの後方の端に取り付け部を設け、前方の端には、フック付きのゴムの輪を設け、フィルムの覆い部には、複数の小さな穴を設け、裏面には網ポケットと共に、前面部表面に透明のポケットを設けたことを特徴とする引き出し用の内蓋。
【請求項２】
覆い部の後部に、折り目を介して、立ち上がり部と中敷部を、コの字型に曲折して設け、引き出し箱に収納自在とした引き出し用の内蓋。
【発明の詳細な説明】
【技術分野】
【０００１】  本発明は、既存の引き出し式衣装箱の他、多種引き出しに設けた内蓋で、内容物をこの内蓋で覆うことにより、枠に引っ掛かることなく、開閉がスムーズにできる。
同時に内容物の巻き込みによる弊害を防止できることが特徴の引き出し用の内蓋に関するものである。
【背景技術】
【０００２】  従来、引き出し箱は上面を開放した状態であるため、引き出し箱に内容物が充満していると、開閉時に、内容物が枠に引っ掛かっていた。
そのため、引き出し箱上面を常に手で押さえながら、丁寧に開閉する必要があった。
【発明の開示】
【発明が解決しようとする課題】
【０００３】  そのために次のような問題点があった。
（イ）衣装用引き出しの場合、厚手セーター等、ふんわりした物は、どうしても、引き出し上部縁より盛り上がってしまい、枠に引っ掛かり、開閉するときに支障があった。
また、整頓して納めた衣装等の内容物が、枠に引っ掛かり、奥に巻き込まれ、痛む原因になっていた。
（ロ）小さな文具や化粧品など、開閉時の衝撃や巻き込みで奥から落下することがあった。
（ハ）工具などで、柄が付いている物を収納したが、閉じたときの衝撃により、中で、引き出し箱上部縁以上に柄が突き出て、それが枠に引っ掛かり、引き出せなくなったりした。
本発明は以上の問題を解決しようとするものである。
【課題を解決するための手段】
【０００４】  引き出し箱の上面開口部を覆うように、前後を折り曲げた、引き出し箱内寸幅の半柔軟性プラスティックフィルムの後方の端に取り付け部を設ける。
前方の端には、フック付きのゴムの輪を設ける。
フィルムの覆い部には、複数の小さな穴を設ける。
裏面には網ポケットと共に、前面部表面に透明のポケットを設ける。
以上のように構成された引き出し用の内蓋。
【発明の効果】
【０００５】  本発明は、引き出し箱を、移動する前後２方向を留めた内蓋で覆うことにより、内容物が、開閉時にこぼれたり、巻き込まれたり、奥から落下するのを防止できる。
また、衣類を充満させたとき、枠に引っ掛かることを防止するため、開閉もスムーズに行え、衣類の損傷も防げる。
【実施例１】
【０００６】（イ）内蓋（３）は引き出し箱（２）内寸幅の長尺状の、半柔軟性プラスティックフィルムからなる。
（ロ）内蓋（３）の一端は、折り目（１７ａ）を介して台形状からなる前面部（１３）とする。
（ハ）前面部（１３）の表面中央に、内容表示カードを入れるための、表面を透明とするポケット（７）を設ける。
（ニ）前面部（１３）の先端を筒状に形成したゴムの通し部（１２）を設ける。
（ホ）ゴムの輪（８）に、フック（９）を設け、このゴムの輪（８）を通し部（１２）に貫通して設ける。
（ヘ）内蓋（３）の中央部を覆い部（１６）とし、他端を、折り目（１７ｂ）を介して後面部（１４）とする。
（ト）後面部（１４）の他端を、折り目（１７ｃ）を介して、内側へ折り返し、折り返し部（１８）とし、そこに取り付け部（１１）を設ける。
（チ）取り付け部（１１）を引き出し箱（２）後面に取り付ける。
（リ）覆い部（１６）に数ヶ所、ほゞ定間隔の小さな穴（５）を設ける。
（ヌ）覆い部（１６）裏面に数ヶ所、離散して網ポケット（６）を設ける。
本発明は以上の構成である。
これを使用する時は、引き出し箱（２）に内容物を収納したら、内蓋（３）を被せ、ゴムの輪（８）の先にあるフック（９）を引き出し箱（２）の取っ手（４）に引っ掛けて内蓋（３）を留める。
留めることにより、引き出したときに、内蓋（３）が巻き込まれるのを防止する。
前面部（１３）にあるポケット（７）に、内容物を表示したカードを入れる。
なお、穴（５）は衣類等の蒸れを防止するためのものである。
必要に応じて、網ポケット（６）には、防虫剤や防カビ剤を入れる。
ただし、用途や内容物により、穴（５）や網ポケット（６）が不要な場合もある。
【実施例２】
【０００７】（イ）覆い部（１６）と前面部（１３）は実施例１と同じである。
（ロ）覆い部（１６）を同じ幅で延長し、折り目（１７ｄ）を介し垂下させ立ち上がり部（１９）を設け、さらに折り目（１７ｅ）を介して直角に前方へ折り返し、中敷部（１５）を設ける。
実施例２は以上のような構成である。
使用方法は、引き出し箱（２）の中に中敷部（１５）、立ち上がり部（１９）、覆い部（１６）を嵌め込む。
前面部（１３）は外に覆うように出し、操作は実施例１と同じである。
内容物の重量で、内蓋（３）後方の浮き上がりを防止することで取り付け部（１１）が不要なため、引き出しの材質を問わない。
【図面の簡単な説明】
【０００８】
【図１】本発明の実施例１の使用状態を示した斜視図である。
【図２】本発明の実施例１の使用状態を示した後方から見た斜視図である。
【図３】本発明の実施例１の分解した状態の正面図である。
【図４】本発明の実施例１の斜視図である。
【図５】本発明の実施例１における使用時の前方から見た斜視図である。
【図６】本発明の実施例２の分解した状態の正面図である。
【図７】本発明の実施例２の斜視図である。
【図８】本発明の実施例２の使用状態を示した斜視図である。
【符号の説明】
【０００９】１  外箱
２  引き出し箱
３  内蓋
４  取っ手
５  穴
６  網ポケット
７  ポケット
８  ゴムの輪
９  フック
１０  側縁部
１１  取り付け部
１２  通し部
１３  前面部
１４  後面部
１５  中敷部
１６  覆い部
１７ａ  折り目
１７ｂ  折り目
１７ｃ  折り目
１７ｄ  折り目
１７ｅ  折り目
１８  折り返し部
１９  立ち上がり部
【図１】
2008173412.tif 000003
【図２】
2008173412.tif 000004
【図３】
2008173412.tif 000005
【図４】
2008173412.tif 000006
【図５】
2008173412.tif 000007
【図６】
2008173412.tif 000008
【図７】
2008173412.tif 000009
【図８】
2008173412.tif 000010
(57)【要約】【課題】  沈降泥は槽体底に堆積し、上澄水は槽外へ排出する沈殿槽において、あらかじめ、槽体内堆積泥の許容量を任意に設定し、設定量に堆積した沈降泥を検知する沈殿槽における堆積泥の検知装置。【解決手段】  槽体内で鉛直に支持した底抜け筒体の底抜け部を通行口とする筒体にあって、筒体下端の位置高は槽体底面との距離間隔を任意に保持するとともに排水口の位置高より低位置に定め、上端を排水口の位置高より高い長さの該筒体を槽体内に配置する。筒体壁に懸濁水の供給口と筒体壁に在って排水口より高所位置に筒体の内部と筒体外側の槽体内部を連通する迂回口を設ける。更に、筒体上端部に水位センサーを装着したことを特徴とする。【選択図】図１
2008173623.tif 000002
【特許請求の範囲】
【請求項１】
槽体内に供給された懸濁水を沈降分離して、沈降物は槽体底に堆積し、上澄水は排水口から溢流して槽外へ排出するようにした沈殿槽において、鉛直に支持した底抜け筒体の底抜け部を通行口とする筒体にあって、筒体下端の位置高は槽体底面との距離間隔を任意に保持するとともに排水口の位置高より低位置に定め、上端の位置高を排水口の位置高より高くになる長さの該筒体を槽体内に配置し、筒体壁に懸濁水の供給口と筒体壁に在って排水口の位置高より高所位置に筒体の内部と筒体外側の槽体内部を連通する迂回口を設けたことを特徴とする沈殿槽における堆積泥の検知装置。
【請求項２】
筒体上端部に水位センサーを装着した、請求項１の沈殿槽における堆積泥の検知装置。
【発明の詳細な説明】
【技術分野】
【０００１】  本発明は、水循環施設に敷設された沈殿槽に沈降分離して沈殿槽底に堆積する量を検知する、沈殿槽における堆積泥の検知装置。
【背景技術】
【０００２】  沈殿槽内に沈降泥が定量を超えて堆積すると、沈降分離や液循環が阻害される。処理施設を効率よく運転するには堆積量を把握した後、適宜に除去されねばならない。従来における堆積量の計測手段には光センサーを内臓したＳＳ（浮遊物質）濃度計を水中に垂らし、起点からの降下距離に係る光透過率の変化を認識するものであり、昼夜の差、上澄水の着色度、外部光、等が測定を困難にしている。他には透明筒や採水管などのサンプリング、及び棹を水中に挿し込み、降下中に変化する濃密度（以下、固さと称する）の感触で予見する。
【発明の開示】
【発明が解決しようとする課題】
【０００３】  従来の計測手段は、定期的に計測者が自ら現地に赴き、時間を割いて慎重に計測しなければならない。また、各個人の感覚に頼る計測値は個人差が生じる。本発明は、人力に頼らない機械的な計測手段でこれら労力の消耗を無くして作業性を良くするとともに、人的判断によって生じる個人差を無くそうとするものである。
【課題を解決するための手段】
【０００４】  槽体内に供給された懸濁水を沈降分離して、沈降物は槽体底に堆積し、上澄水は排水口から溢流して槽外へ排出するようにした沈殿槽において、鉛直に支持した底抜け筒体の底抜け部を通行口とする筒体にあって、筒体下端の位置高は槽体底面との距離間隔を任意に保持するとともに排水口の位置高より低位置に定め、上端の位置高を排水口の位置高より高くになる長さの該筒体を槽体内に配置する。筒体に懸濁水の供給口と筒体壁に在って排水口の位置高より高所位置に筒体の内部と筒体外側の槽体内部を連通する迂回口を設ける。更に、筒体上端部に水位センサーを装着したことを特徴とする沈殿槽における堆積泥の検知装置。
【発明の効果】
【０００５】  本発明は、沈殿槽内の沈降堆積泥が、一定の量と固さになった時の常態変化で起因する水位の変化を水位センサーで感知し、沈降堆積泥の状態を把握するものである。よって、沈降泥堆積量を機械的に検知できることから、人力測定に係る人的消耗が無くなり、更に、測定基準の設定を可能にして、人的判断によらない堆積量を安定的に把握できる。
【発明を実施するための最良の形態】
【０００６】  以下、本発明の実施の形態を図１を参照にして説明する。
槽体（１）内に供給された懸濁水を沈降分離して、沈降物は槽体（１）底に堆積し、上澄水は排水口（６）から溢流して槽外へ排出するようにした沈殿槽において、鉛直に支持具（９）で支持した底抜け筒体（２）の底抜け部を通行口（４）とする筒体（２）にあって、筒体（２）下端の位置高は槽体（１）底面との距離間隔を任意に保持するとともに排水口（６）の位置高より低位置に定め、上端の位置高を排水口（６）の位置高より高くになる長さの筒体（２）を槽体（１）内に配置する。筒体（２）壁に懸濁水の供給口（３）と筒体（２）壁に在って排水口（６）の位置高より高所位置に筒体（２）の内部と筒体（２）外側の槽体（１）内部を連通する迂回口（５）を設ける。【０００７】  あらかじめ、槽体（１）内における沈降堆積泥の許容量を任意に決め、その許容量の嵩高、即ち、槽体（１）底面からの高さに筒体（２）下端を配置する。【０００８】  更に、筒体（２）の上端部に、水位の変化により上下動するフロートに内包したマグネットでスイッチが作動するフロート式水位センサー（７）を装着し、水位センサー（７）の周囲に囲い板（８）を設けてセンサー機能を保護する。【０００９】  以上の手段を講じた沈殿槽において、供給口（３）から供給された懸濁水は筒体（２）を通って通行口（４）から槽体（１）内に入り次第にその量を増やしながら滞留する。滞留時における懸濁水は比重さ分離して沈降泥と上澄水とに分離され、沈降泥は槽体（１）底に堆積する。供給量の増加とともに槽体（１）底の堆積量も次第にその量を増やし、上澄水は水位が上昇し、溢流して排水口（６）から排出される。継続的供給による供給量の増加で槽体（１）底の堆積泥も次第にその量を増やし、やがて、通行口（４）の位置高を越えて堆積することから、通行口（４）は堆積泥で塞がれ通行を不能にする。よって、供給懸濁水は経路を変更して、迂回口（５）から槽体（１）内に入り沈降分離する。この経路の変更により、迂回口（５）は排水口（６）より高位置にあることから筒体（１）内の水位は迂回口（５）の位置高に上昇する。この水位の上昇を水位センサー（７）で検知する。以上の如く、槽体（１）内における沈降堆積泥の許容量を任意に設定し、設定量に堆積した沈降泥は検知される。
【実施例１】
【００１０】
【００１１】  図２は本発明において、槽体（１）の一部側壁を筒体（２）側壁の一部にして共有し、該共有側壁に供給口（３）を設けて構成を簡素化する。更に、迂回口（５）から槽体（１）へ流入する懸濁水を排水口（６）の位置高より下方に案内する案内筒（１０）を設けて、懸濁物が直接に排水口（６）から排出されないようにした実施例である。更に、沈降堆積泥が設定量以上に堆積して通行口（４）を塞ぐときの槽体（１）内及び筒体（２）内の泥高１２ｂ及び１２ａと其々の水位１１ｂ及び１１ａの位置関係を図示する。
【図面の簡単な説明】
【００１２】
【図１】  本発明の斜視断面図
【図２】  本発明の実施例を示す斜視断面図
【符号の説明】
【００１３】      １    槽体
２    筒体
３    供給口
４    通行口
５    迂回口
６    排水口
７    水位センサー
８    囲い板
９    支持具
１０    案内筒
１１ａ、１１ｂ    水位
１２ａ、１２ｂ    泥高
【図１】
2008173623.tif 000003
【図２】
2008173623.tif 000004
(57)【要約】【課題】炭素鋼である母材上にリン青銅の層を形成する溶接方法であって、銅成分の炭素鋼への粒界侵入による、いわゆる液体金属脆化を生ずることなく、高品質の溶接を実現できるという優れた溶接方法及び該溶接方法により得られる構造体を提供する。【解決手段】炭素鋼である母材上にリン青銅の層を形成する溶接方法であって、母材の表面上にニッケルを肉盛溶接してニッケルの層を形成し、該ニッケルの層上にリン青銅を肉盛溶接する溶接方法。ニッケルは、可能なかぎり高純度なものが好ましく、純度９３％以上のものがよい。母材の表面上にニッケルを肉盛溶接する方法は、特に制限はなく、たとえばアーク溶接すればよい。【選択図】図１
2008173685.tif 000002
【特許請求の範囲】
【請求項１】
炭素鋼である母材上にリン青銅の層を形成する溶接方法であって、母材の表面上にニッケルを肉盛溶接してニッケルの層を形成し、該ニッケルの層上にリン青銅を肉盛溶接する溶接方法。
【請求項２】
請求項１記載の方法により得られ、炭素鋼である母材、該母材上に形成されたニッケル層及び該ニッケル層の上に形成されたリン青銅からなる構造体。
【発明の詳細な説明】
【技術分野】
【０００１】
本発明は、溶接方法及び構造体に関するものである。更に詳しくは、本発明は、炭素鋼である母材上にリン青銅の層を形成する溶接方法であって、銅成分の炭素鋼への粒界侵入による、いわゆる液体金属脆化を生ずることなく、高品質の溶接を実現できるという優れた溶接方法及び該溶接方法により得られる構造体に関するものである。
【背景技術】
【０００２】
炭素鋼である母材上にリン青銅の層を形成してなる構造体は、炭素鋼の強度とリン青銅の摩擦に対する摺動性を併せ持つ構造体として、圧縮機のピストン棒等に用いられている。かかる構造体は、通常、母材である炭素鋼の上にリン青銅を肉盛溶接し、その後肉盛溶接部に研磨等の加工を施して得られる。ところが、炭素鋼にリン青銅を溶接した場合、炭素鋼の結晶粒内に銅成分が侵入し（粒界侵入）、炭素鋼に液体金属脆化を発生し、構造体の強度を低下させるという問題があった。
【０００３】
上記の問題を解決する手段として、特許文献１には、炭素鋼と銅の間にモネルの層を介在させる方法が紹介されている。しかしながら、この方法は、モネル中に銅成分が存在するため、上記の問題を完全に解消できないという不都合があった。
【０００４】
また、特許文献２には、炭素鋼と銅の間にフェライト組織を有する層を介在させる方法が紹介されている。そしてフェライト組織を有するものとしてフェライト系ステンレス鋼があげられている。しかしながら、フェライト系ステンレス鋼を用いるこの方法は、溶着金属の延性低下やじん性低下、さらには溶接割れを生じる場合があり、溶接の品質が必ずしも高くないという問題があった。
【０００５】
【特許文献１】特開２００１−４７２３４号公報
【発明の開示】
【発明が解決しようとする課題】
【０００６】
かかる状況において、本発明が解決しようとする課題は、上記の従来の問題を解消し、炭素鋼である母材上にリン青銅の層を形成する溶接方法であって、銅成分の炭素鋼への粒界侵入による、いわゆる液体金属脆化を生ずることなく、高品質の溶接を実現できるという優れた溶接方法及び該溶接方法により得られる構造体を提供する点にある。
【課題を解決するための手段】
【０００７】
すなわち、本発明のうち第一の発明は、炭素鋼である母材上にリン青銅の層を形成する溶接方法であって、母材の表面上にニッケルを肉盛溶接してニッケルの層を形成し、該ニッケルの層上にリン青銅を肉盛溶接する溶接方法に係るものである。
【０００８】
また、本発明のうち第二の発明は、上記の方法により得られ、炭素鋼である母材、該母材上に形成されたニッケル層及び該ニッケル層の上に形成されたリン青銅からなる構造体に係るものである。
【発明の効果】
【０００９】
本発明により、炭素鋼である母材上にリン青銅の層を形成する溶接方法であって、銅成分の炭素鋼への粒界侵入による、いわゆる液体金属脆化を生ずることなく、高品質の溶接を実現できるという優れた溶接方法及び該溶接方法により得られる構造体を提供することができる。
【発明を実施するための最良の形態】
【００１０】
本発明は、炭素鋼である母材上にリン青銅の層を形成する溶接方法である。
【００１１】
炭素鋼としては、特に制限はなく、Ｓ３５Ｃ（ＪＩＳ  Ｇ４０５１）等を用いることができる。
【００１２】
リン青銅としても、特に制限はなく、ＤＣｕＳｎＢ（ＪＩＳ  Ｚ３２３１）やＹＣｕＳｎＢ（ＪＩＳ  Ｚ３３４１）等を用いることができる。
【００１３】
本発明においては、母材の表面上にニッケルを肉盛溶接してニッケルの層を形成し、該ニッケルの層上にリン青銅を肉盛溶接する。
【００１４】
ニッケルは、可能なかぎり高純度なものが好ましく、純度９３％以上のものがよい。
【００１５】
母材の表面上にニッケルを肉盛溶接する方法は、特に制限はなく、たとえばアーク溶接すればよい。
【００１６】
肉盛溶接されたニッケル部は、研磨等により平滑な層状に加工される。ニッケル層の厚さは２．５〜４．５ｍｍが好ましい。該層の厚さが過小であると本発明の効果が不十分な場合があり、一方該層の厚さが過大であると炭素鋼母材部へのニッケル溶け込みが大きくなり、構造体としての炭素鋼母材の強度を保持できない場合がある。
【００１７】
そして、上記のニッケル層の上にリン青銅を肉盛溶接し、必要な加工を施して所望の構造体とする。
【００１８】
上記の方法により、炭素鋼である母材、該母材上に形成されたニッケル層及び該ニッケル層の上に形成されたリン青銅からなる構造体が得られる。かかる構造体は、銅成分の炭素鋼への粒界侵入による、いわゆる液体金属脆化を生ずることなく、高品質の溶接を実現できたものであり、たとえば圧縮機のピストン棒のスリーブ等に広範な利用価値を有する。
【実施例】
【００１９】
次に本発明を実施例により説明する。
実施例１
圧縮機のピストン棒に取り付けられる摺動性を併せ持つ構造体の製造方法について本発明を実施した。
まず、炭素鋼の母材上にニッケルを肉盛溶接したのち、研磨等により２．５〜４．５ｍｍの平滑なニッケル層を形成した。
次に、上記で形成されたニッケル層上にリン青銅を肉盛溶接したのち研磨等により必要な加工を施して所望の構造体とした。
次に、製作された構造体の炭素鋼母材部にて非破壊検査（ＭＴ，ＰＴ）した後、炭素鋼に液体金属脆化を生じていないことを確認した。また、破壊検査においても炭素鋼の母材に液体金属脆化の発生なきことを確認した。
【００２０】
比較例１
炭素鋼の母材上にニッケルを肉盛溶接することを省略したこと以外は実施例１と同様に行った。その結果、炭素鋼の母材に液体金属脆化が発生していることを確認した。
【図面の簡単な説明】
【００２１】
【図１】本発明による構造体の概略を示す図である。
【図１】
2008173685.tif 000003